(57)【要約】【課題】サブハーネスの本結束時やワイヤハーネスの配索後にコネクタのキャビティに挿入される後入れ端子の誤挿入を容易に防止する。【解決手段】本体１１と、本体の長寸方向の一端とヒンジ結合している蓋１６を備え、本体の表面に保持溝１２を長寸方向に所要間隔をあけて並設すると共に各保持溝の底面より係止ピン１３を突設し、本体あるいは蓋のコネクタ接続側端面２０にガイドピン１９を突設し、後入れ端子３１を保持溝に嵌合して電気接触部３４をコネクタ接続側端面より外方に突出させると共に各端子の凹み部分３５に係止ピンを係止し、蓋をかぶせて本体とロック結合し、コネクタとの接続時にコネクタ４１側のガイド穴４３にガイドピン１９を挿入し、突出させた電気接触部３４を一括でコネクタの各キャビティ４２内に突出させる。【選択図】図３
2014139907.tif 000002
【特許請求の範囲】
【請求項１】
ワイヤハーネスの電線端末のコネクタに接続されていない後入れ端子用部品であって、  細長な断面矩形状の本体と、該本体の長寸方向の一端にヒンジ結合している蓋を備え、前記本体あるいは／および蓋の表面に保持溝を間隔をあけて並設していると共に、各保持溝の底面あるいは各保持溝を閉鎖する対向面より係止ピンを突設し、かつ、前記本体あるいは蓋の先端側のコネクタ接続側端面にガイドピンを突設しており、
前記ワイヤハーネスの後入れ端子を前記保持溝にそれぞれ挿入すると共に、各後入れ端子の電線接続側に位置する凹み部分に前記係止ピンを挿入係止し、かつ、相手方端子と嵌合する前記各後入れ端子の電気接触部をコネクタ接続側端面より外方に突出させた状態で、前記蓋を前記本体に被せて結合して前記後入れ端子を保持し、
コネクタとの接続時に、該コネクタ側に形成するガイド穴またはガイド溝に前記ガイドピンを挿入し、前記後入れ端子の先端外方に突出させた前記電気接触部を一括で前記コネクタの所定のキャビティ（端子収容室）内に突出させて該コネクタ内の相手方端子と嵌合して電気接続できる構成としている後入れ端子用部品。
【請求項２】
前記本体と蓋とは一体成形した樹脂成形品からなり、前記本体に設ける保持溝は前記後入れ端子を挿入するコネクタ側のキャビティの数および形成位置と対応して設け、かつ、細長い矩形状の本体の短寸方向の全長に前記保持溝を延在させると共に、長寸方向に間隔をあけて設けている請求項１に記載の後入れ端子用部品。
【請求項３】
前記ガイドピンを長寸方向の両側より突設し、かつ、前記本体と蓋の長寸方向の他端面に被ロック部とロック部を設けている請求項１または請求項２に記載の後入れ端子用部品。
【請求項４】
前記コネクタ接続側端面より外方へ突出する前記後入れ端子の電気接触部を保護するためのカバーを備え、該カバーはコネクタ接続側端面との対向側を閉鎖面とし、電線接続側端面は開口としており、
該カバーを前記ロック結合した本体と蓋とにかぶせた状態で前記電線とテープ巻きまたは再利用可能なバンドで固着するものである請求項１乃至請求項３のいずれか１項に記載の後入れ端子用部品。
【請求項５】
前記本体の長寸方向の一端側に前記本体の表面の蓋となる上側蓋と、前記本体の裏面の蓋となる下側蓋とを上下にヒンジ結合して設け、かつ、前記本体の裏面あるいは／および下側蓋の表面にも保持溝を所要間隔をあけて設けて上下２段で電線端末の後入れ端子を保持できる構成としている請求項１乃至請求項４のいずれか１項に記載の後入れ端子用部品。
【発明の詳細な説明】
【技術分野】
【０００１】
本発明は後入れ端子用部品に関し、詳しくは、サブハーネスの状態あるいは複数のサブハーネスを本結束したワイヤハーネスの状態で、これらハーネスを構成する電線端末の端子の中でコネクタに挿入接続されていない後入れ端子のコネクタへの誤挿入を防止する後入れ端子用部品に関する。
【背景技術】
【０００２】
多数本の電線を集束して組み立てるワイヤハーネスは、まず、同じコネクタに電線端末に接続した端子を挿入接続する電線同士を仮結束してサブハーネスを組み立てた後、複数のサブハーネスを本結束してワイヤハーネスを組み立てている。
前記サブハーネスを構成する電線端末に接続された端子の中には、サブハーネス組立時にはコネクタに挿入されず、電線端末にぶら下げられた状態の後入れ端子（ブラ端子とも称す）があり、該サブハーネスの本結束時に別のサブハーネスのコネクタに挿入される後入れ端子が存在することが多い。さらに、本結束したワイヤハーネスの状態でもコネクタに挿入されず、該ワイヤハーネスを車両等に配索した後、他のワイヤハーネス端末のコネクタや車載機器等のコネクタ収容部に後入れされて、相手方端子と接続する後入れ端子が存在する場合もある。
しかし、前記のような後入れ端子は、コネクタ接続時にコネクタの所定のキャビティ（端子収容室）に挿入されず、誤挿入されるおそれがある。
【０００３】
そのため、例えば特開２００４−３２７２６６号公報（特許文献１）では、図１０に示すように、電線保持部２と、該電線保持部２に保持する電線４に関する情報を表示する表示部３とを備えた電線保持具１が提案されている。前記表示部３には、電線保持部２に保持する電線４端末の後入れ端子４ａが挿入されるべきコネクタ（図示せず）のキャビティ番号等を表示することもできるため、後入れ端子４ａの誤挿入をある程度防止することができる。
【０００４】
しかし、作業者は目視で電線保持具１の表示部３を確認すると共に、後入れ端子４ａが挿入されるべきコネクタのキャビティが前記表示部３の表示内容に合ったものであることを確認しながら後入れ端子４ａの挿入作業を行わなければならず、容易に誤挿入を防止するという点ではさらなる改善の余地がある。また、電線保持具１は電線４の保持を行うものであって、端子４ａの上下の向きを規制するものではないため、後入れ端子４ａをコネクタに挿入する際には、該端子４ａの上下の向きも確認しながら挿入作業を行う必要がある。
【先行技術文献】
【特許文献】
【０００５】
【特許文献１】特開２００４−３２７２６６号公報
【発明の概要】
【発明が解決しようとする課題】
【０００６】
本発明は前記問題に鑑みてなされたもので、後入れ端子がサブハーネスの本結束時やワイヤハーネスの配索後にコネクタのキャビティに挿入される際に、コネクタへの後入れ端子の誤挿入を容易に防止することを課題としている。
【課題を解決するための手段】
【０００７】
前記課題を解決するため、本発明は、ワイヤハーネスの電線端末のコネクタに接続されていない後入れ端子用部品であって、細長な断面矩形状の本体と、該本体の長寸方向の一端にヒンジ結合している蓋を備え、前記本体あるいは／および蓋の表面に保持溝を間隔をあけて並設していると共に、各保持溝の底面あるいは各保持溝を閉鎖する対向面より係止ピンを突設し、かつ、前記本体あるいは蓋の先端側のコネクタ接続側端面にガイドピンを突設しており、
前記ワイヤハーネスの後入れ端子を前記保持溝にそれぞれ挿入すると共に、各後入れ端子の電線接続側に位置する凹み部分に前記係止ピンを挿入係止し、かつ、相手方端子と嵌合する前記各後入れ端子の電気接触部をコネクタ接続側端面より外方に突出させた状態で、前記蓋を前記本体に被せて結合して前記後入れ端子を保持し、
コネクタとの接続時に、該コネクタ側に形成するガイド穴またはガイド溝に前記ガイドピンを挿入し、前記後入れ端子の先端外方に突出させた前記電気接触部を一括で前記コネクタの所定のキャビティ（端子収容室）内に突出させて該コネクタ内の相手方端子と嵌合して電気接続できる構成としている後入れ端子用部品を提供している。
【０００８】
本発明の後入れ端子用部品は、サブハーネスの本結束時に他のサブハーネスのコネクタに後入れする端子、あるいはワイヤハーネス配索後に他のワイヤハーネスのコネクタあるいは機器のコネクタ収容部に挿入される後入れ端子を、後入れまで保護すると共に、後入れ端子のコネクタ挿入時にコネクタの所定のキャビティに挿入できる位置に位置決め保持し、一括で所定のキャビティに挿入できるようにするために用いられる。
【０００９】
本発明の前記本体と蓋とは一体成形した樹脂成形品からなり、前記本体に薄肉ヒンジを介して前記蓋を設け、該本体あるいは／および蓋に設ける保持溝は前記後入れ端子を挿入するコネクタ側のキャビティの数および形成位置と対応して設け、かつ、細長い矩形状の本体の短寸方向の全長に前記保持溝を延在させると共に、長寸方向に間隔をあけて設けている。
なお、本体と蓋の両方に保持溝を設ける場合には、本体の各保持溝にそれぞれ連通するように蓋の保持溝を設け、連通する本体の保持溝と蓋の保持溝のうち、いずれか一方の保持溝に係止ピンを突設している。また、本体、蓋のいずれか一方に保持溝を設ける場合は、該保持溝の底面より係止ピンを突設することが好ましいが、該保持溝を閉鎖する蓋あるいは本体の対向面に突設してもよい。
【００１０】
前記保持溝に挿入する後入れ端子は、コネクタ挿入接続時に保持する後入れ端子がコネクタの所定のキャビティに挿入できるように、前記本体の予め所定の保持溝に後入れ端子を挿入保持できるようにしている。よって、保持溝の個数および形成位置はコネクタ側のキャビティの個数および形成位置に対応させて設けている。
【００１１】
後入れ端子用部品における後入れ端子の位置決め保持は、相手方端子と接続する電気接触部をコネクタ接続側端面より外方に突出させた状態で後入れ端子を本体あるいは蓋の各保持溝に嵌合すると共に、該本体に蓋をかぶせて長寸方向の他端面でロック結合することで行い、コネクタ接続時には、本体または蓋のコネクタ接続側端面より突設したガイドピンをコネクタ側に設けたガイド穴またはガイド溝に挿入するだけで、コネクタ接続側端面から外方に突出させたすべての後入れ端子の電気接触部が一括で挿入すべきコネクタの各キャビティ内に突出される構成としている。
【００１２】
したがって、作業者は従来のように後入れ端子を挿入すべきコネクタのキャビティを１個ずつ確認しながら端子挿入する必要がなくなり、また、本体あるいは蓋の各保持溝の底面に突設した係止ピンを後入れ端子の凹み部分に挿入係止して後入れ端子の上下の向きを規定しているため、後入れ端子の上下の向きを確認しながら端子挿入する必要もない。よって、コネクタのキャビティへの後入れ端子の誤挿入を容易に防止し、作業性を大幅に向上させることが可能となる。また、後入れ端子用部品は取り外し後に再利用できるため、コストを抑えることができる。
【００１３】
前記ガイドピンを長寸方向の両側より突設し、かつ、前記本体と蓋の長寸方向の他端面に被ロック部とロック部を設けていることが好ましい。
【００１４】
また、前記コネクタ接続側端面より外方へ突出する前記端子の電気接触部を保護するためのカバーを備え、該カバーはコネクタ接続側端面との対向側を閉鎖面とし、電線接続側端面は開口としており、該カバーを前記ロック結合した本体と蓋とにかぶせた状態で前記電線とテープ巻きまたは再利用可能なバンドで固着するものであることが好ましい。  
【００１５】
前記のように、後入れ端子を保持した後入れ端子用部品にカバーを取り付けて、コネクタ接続側端面との対向側を閉鎖面とすることにより、ワイヤハーネス搬送時などコネクタとの接続前にコネクタ接続側端面から外方に突出させた後入れ端子の電気接触部が損傷するのを防止することができる。
また、前記カバーの電線接続側に設ける開口の端縁より棒状の電線固定部を突設し、該電線固定部に後入れ端子の電線をテープ巻きまたは再利用可能なバンドで固着することが特に好ましい。
【００１６】
本発明の後入れ端子用部品は、前記本体の長寸方向の一端側に前記本体の表面の蓋となる上側蓋と、前記本体の裏面の蓋となる下側蓋とを上下にヒンジ結合して設け、かつ、前記本体の裏面あるいは／および下側蓋の表面にも保持溝を所要間隔をあけて設けて上下２段で電線端末の後入れ端子を保持できる構成としてもよい。
【００１７】
前記構成の後入れ端子用部品を用いて後入れ端子を上下２段で保持しておくことで、コネクタとの接続時に該後入れ端子をコネクタの上下２段のキャビティ内に誤挿入なく容易に突出させることが可能となる。
【発明の効果】
【００１８】
前述したように、本発明の後入れ端子用部品は、本体と、該本体と長寸方向の一端でヒンジ結合した蓋とを備え、前記本体あるいは／および蓋の表面に、後入れ端子をそれぞれ嵌合する保持溝を設けている。電気接触部をコネクタ接続側端面より外方に突出させた状態で後入れ端子を本体あるいは蓋の各保持溝に嵌合すると共に本体に蓋をかぶせてロック結合することで、後入れ端子を本発明の後入れ端子用部品に位置決め保持する構成としている。また、コネクタ接続時には本体または蓋のコネクタ接続側端面より突設したガイドピンをコネクタ側に設けたガイド穴またはガイド溝に挿入するだけで、コネクタ接続側端面から外方に突出させたすべての後入れ端子の電気接触部が一括で挿入すべきコネクタの各キャビティ内に突出される構成としている。したがって、作業者は後入れ端子を挿入すべきコネクタのキャビティを１個ずつ確認しながら端子挿入する必要がなくなり、また、本体の各保持溝の底面に突設した係止ピンを後入れ端子の凹み部分に挿入係止して後入れ端子の上下の向きを規定しているため、後入れ端子の上下の向きを確認しながら端子挿入する必要もない。よって、コネクタのキャビティへの後入れ端子の誤挿入を容易に防止し、作業性を大幅に向上させることが可能となる。また、後入れ端子用部品は取り外し後に再利用できるため、コストを抑えることもできる。
【図面の簡単な説明】
【００１９】
【図１】ワイヤハーネスの後入れ端子を示す説明図である。
【図２】第１実施形態の後入れ端子用部品を示す斜視図である。
【図３】第１実施形態の後入れ端子用部品に後入れ端子を保持させた状態を示す斜視図である。
【図４】コネクタ側のガイド穴に後入れ端子用部品のガイドピンを挿入してコネクタのキャビティ内に後入れ端子を突出させた状態を示す一部断面図である。
【図５】（Ａ）はカバーを示す斜視図であり、（Ｂ）は後入れ端子を保持した後入れ端子用部品にカバーをかぶせた状態を示す斜視図である。
【図６】（Ａ）は第１実施形態の後入れ端子用部品の第１変形例を示す斜視図であり、（Ｂ）は第１実施形態の後入れ端子用部品の第２変形例である。
【図７】後入れ端子用部品のガイドピンを挿入するコネクタ側のガイド溝を示す斜視図である。
【図８】第２実施形態の後入れ端子用部品を示す斜視図であり、（Ａ）は本体の表面側から見た図であり、（Ｂ）は本体の裏面側から見た図である。
【図９】第２実施形態の後入れ端子用部品の変形例を示す斜視図である。
【図１０】従来例を示す図である。
【発明を実施するための形態】
【００２０】
以下、本発明の実施形態を図面を参照して説明する。
図１乃至図５は本発明の第１実施形態を示している。
図１に示すように、本実施形態では、集束した電線３０の端末に接続された端子をコネクタＣ１、Ｃ２に挿入接続して組み立てているワイヤハーネスＷ／Ｈにおいて、３本の電線３０Ａ、３０Ｂ、３０Ｃの端末に接続した端子３１Ａ、３１Ｂ、３１Ｃをコネクタに挿入されていない後入れ端子とし、ワイヤハーネスＷ／Ｈを車両に配索した後、車載機器（本実施形態では電子制御ユニット）４０に設けられたコネクタ４１のキャビティ（端子収容室）４２Ａ、４２Ｂ、４２Ｃ（図３参照）に該後入れ端子３１Ａ、３１Ｂ、３１Ｃをそれぞれ挿入係止する構成としている。なお、本実施形態では前記後入れ端子３１をメス端子とし、電線３０の絶縁被覆層に圧着する被覆バレル３２および電線３０の芯線に圧着する芯線バレル３３に連続してメス型の電気接触部３４（３４Ａ、３４Ｂ、３４Ｃ）を突出させており、各後入れ端子３１の電線接続側である芯線バレル３３と電気接触部３４との間に凹み部分３５が形成されている。
【００２１】
本実施形態では、後入れ端子３１Ａ、３１Ｂ、３１Ｃの電気接触部３４Ａ、３４Ｂ、３４Ｃがコネクタ４１のキャビティ４２Ａ、４２Ｂ、４２Ｃに挿入されるまでの間、後入れ端子３１Ａ、３１Ｂ、３１Ｃを図２に示すような後入れ端子用部品１０に収容保持している。樹脂成形品である後入れ端子用部品１０は、細長な矩形状の本体１１と、該本体１１の長寸方向の一端と薄肉ヒンジ１５を介してヒンジ結合している蓋１６とを備え、本体１１の長寸方向の他端面には被ロック部１４を、蓋１６の長寸方向の他端面にはロック部１８をそれぞれ設けて、本体１１に蓋１６をかぶせた状態で開閉自在にロック結合できるようにしている。
【００２２】
本体１１の表面には、短寸方向の全長に延在し後入れ端子３１Ａ、３１Ｂ、３１Ｃを嵌合保持する保持溝１２Ａ、１２Ｂ、１２Ｃを長寸方向に間隔をあけて並設し、該保持溝１２Ａ、１２Ｂ、１２Ｃの先端側底面には、前記後入れ端子３１Ａ、３１Ｂ、３１Ｃの凹み部分３５に挿入係止する係止ピン１３をそれぞれ突設している。また、蓋１６にも前記保持溝１２Ａ、１２Ｂ、１２Ｃに連通する保持溝１７Ａ、１７Ｂ、１７Ｃを長寸方向に間隔をあけて並設しているが、蓋側の保持溝１７Ａ、１７Ｂ、１７Ｃには係止ピンは突設していない。
【００２３】
後入れ端子３１Ａ、３１Ｂ、３１Ｃを本体１１の保持溝１２Ａ、１２Ｂ、１２Ｃにそれぞれ嵌合すると共に、該後入れ端子３１Ａ、３１Ｂ、３１Ｃの凹み部分３５に係止ピン１３をそれぞれ係止し、蓋１６をかぶせて後入れ端子３１Ａ、３１Ｂ、３１Ｃを本体１１側の保持溝１２Ａ、１２Ｂ、１２Ｃと蓋１６側の保持溝１７Ａ、１７Ｂ、１７Ｃとで挟み込んで本体１１と蓋１６とをロック結合することで、電気接触部３４Ａ、３４Ｂ、３４Ｃが先端面であるコネクタ接続側端面２０より外方に突出した状態で、後入れ端子３１Ａ、３１Ｂ、３１Ｃが位置決め保持される。
【００２４】
また、後入れ端子用部品１０の蓋１６のコネクタ接続側端面２０の長寸方向の両側より一対のガイドピン１９を突設し、コネクタ４１との接続時には、機器４０の壁面に穿設されコネクタ４１の両側に位置する一対のガイド穴４３に前記ガイドピン１９を挿入させる構成としている。前記ガイドピン１９をガイド穴４３に挿入することにより、後入れ端子用部品１０のコネクタ接続側端面２０より外方へ突出させたすべての電気接触部３４Ａ、３４Ｂ、３４Ｃが一括でコネクタ４１の各キャビティ４２Ａ、４２Ｂ、４２Ｃ内に挿入されるようにしている（図３、４参照）。
【００２５】
前記のように、後入れ端子３１Ａ、３１Ｂ、３１Ｃの電気接触部３４Ａ、３４Ｂ、３４Ｃがコネクタ４１のキャビティ４２Ａ、４２Ｂ、４２Ｃ内にそれぞれ突出した状態で、蓋１６を開放し、後入れ端子３１Ａ、３１Ｂ、３１Ｃを後入れ端子用部品１０から離脱させながらキャビティ４２Ａ、４２Ｂ、４２Ｃの内方へ押し込んでいくだけで、後入れ端子３１Ａ、３１Ｂ、３１Ｃがキャビティ４２Ａ、４２Ｂ、４２Ｃ内の所定位置に確実に係止され、対向側からキャビティ４２Ａ、４２Ｂ、４２Ｃ内に突出させた相手方端子（タブ状端子）４４Ａ、４４Ｂ、４４Ｃと嵌合して電気接続することができる。
【００２６】
前記のように、本実施形態では、車両へのワイヤハーネスＷ／Ｈ配索後に機器４０側コネクタ４１の各キャビティ４２Ａ、４２Ｂ、４２Ｃに挿入する後入れ端子３１Ａ、３１Ｂ、３１Ｃを後入れ端子用部品１０に位置決め保持している。即ち、後入れ端子用部品１０は、前記のように、後入れ端子３１Ａ、３１Ｂ、３１Ｃをそれぞれ嵌合する保持溝１２Ａ、１２Ｂ、１２Ｃを長寸方向に間隔をあけて設けた本体１１と、該本体１１と長寸方向の一端でヒンジ結合した蓋１６とを備え、電気接触部３４Ａ、３４Ｂ、３４Ｃをコネクタ接続側端面２０より外方に突出させた状態で後入れ端子３１Ａ、３１Ｂ、３１Ｃを本体１１の各保持溝１２Ａ、１２Ｂ、１２Ｃに嵌合し、該本体１１に蓋１６をかぶせてロック結合することで後入れ端子３１Ａ、３１Ｂ、３１Ｃの位置決め保持を行う構成としている。また、コネクタ４１との接続時には、蓋１６のコネクタ接続側端面２０より突設したガイドピン１９をコネクタ４１側のガイド穴４３に挿入するだけで、コネクタ接続側端面２０から外方に突出させたすべての後入れ端子３１Ａ、３１Ｂ、３１Ｃの電気接触部３４Ａ、３４Ｂ、３４Ｃが一括でコネクタ４１の各キャビティ４２Ａ、４２Ｂ、４２Ｃ内に突出される構成としている。
【００２７】
したがって、作業者は後入れ端子３１Ａ、３１Ｂ、３１Ｃを挿入すべきコネクタ４１のキャビティ４２Ａ、４２Ｂ、４２Ｃを１個ずつ確認しながら端子挿入する必要がなくなり、また、本体１１の各保持溝１２Ａ、１２Ｂ、１２Ｃの底面に突設した係止ピン１３を後入れ端子３１Ａ、３１Ｂ、３１Ｃの凹み部分３５に挿入係止して後入れ端子３１Ａ、３１Ｂ、３１Ｃの上下の向きを規定しているため、後入れ端子３１Ａ、３１Ｂ、３１Ｃの上下の向きを確認しながら端子挿入する必要もない。よって、コネクタ４１のキャビティ４２Ａ、４２Ｂ、４２Ｃへの後入れ端子３１Ａ、３１Ｂ、３１Ｃの誤挿入を容易に防止し、作業性を大幅に向上させることが可能となる。また、後入れ端子用部品１０は取り外し後に再利用できるため、コストを抑えることができる。
【００２８】
また、後入れ端子３１Ａ、３１Ｂ、３１Ｃをコネクタ４１に挿入するまでの間は、コネクタ接続側端面２０より突出した電気接触部３４Ａ、３４Ｂ、３４Ｃを保護するために、後入れ端子３１Ａ、３１Ｂ、３１Ｃを保持した後入れ端子用部品１０に図５（Ａ）のようなカバー２２を取り付けている。カバー２２の取り付けは、図５（Ｂ）のように、コネクタ接続側端面２０（図５には表示せず）との対向側を閉鎖面２２ａとし、電線接続側端面２１側を開口２２ｂとしている。また、カバー２２には、開口２２ｂの端縁より棒状の電線固定部２３を突設し、カバー２２をロック結合した本体１１と蓋１６とにかぶせた状態で後入れ端子３１Ａ、３１Ｂ、３１Ｃの電線３０を電線固定部２３に再利用可能なバンド２４で固定している。
【００２９】
前記のように、後入れ端子３１Ａ、３１Ｂ、３１Ｃを保持した後入れ端子用部品１０にカバー２２を取り付けて、コネクタ接続側端面２０との対向側を閉鎖面とすることにより、ワイヤハーネス搬送時などコネクタ４１との接続前にコネクタ接続側端面２０から外方に突出させた後入れ端子３１Ａ、３１Ｂ、３１Ｃの電気接触部３４Ａ、３４Ｂ、３４Ｃが損傷するのを防止することができる。
【００３０】
第１実施形態の第１変形例として、図６（Ａ）に示すように、保持溝を設けていない平板状の蓋１６を本体１１にヒンジ結合していてもよい。この場合には、本体１１に設ける保持溝１２Ａ、１２Ｂ、１２Ｃを第１実施形態より深めの溝とし、蓋１６より厚みのある本体１１のコネクタ接続側端面２０の両端にガイドピン１９を突設していることが好ましい。
また、ガイドピン１９を挿入するコネクタ４１側のガイド穴４３に代えて、図７のようなガイド溝４５を設けてもよい。
また、第１実施形態の第２変形例として、図６（Ｂ）のように第１変形例の後入れ端子用部品１０の保持溝１２Ａ、１２Ｂ、１２Ｃの底面に係止ピン１３を突設せず、その代わりに、本体１１の各保持溝１２Ａ、１２Ｂ、１２Ｃを閉鎖する蓋１６内面の各保持溝１２Ａ、１２Ｂ、１２Ｃの対向位置に係止ピン１３を突設してもよい。
さらに、第１実施形態の第３変形例として、図示はしないが、本体に保持溝を設けず蓋のみに保持溝を並設し、該蓋の各保持溝を閉鎖する本体表面に係止ピンを突設してもよい。
【００３１】
図８（Ａ）、（Ｂ）は第２実施形態を示している。
第２実施形態の後入れ端子用部品５０では、本体５１の表面に係止ピン５４を突設した保持溝５２Ａ、５２Ｂ、５２Ｃを長寸方向に所要間隔をあけて設けると共に、本体の裏面に係止ピンを突設していない保持溝５３Ａ、５３Ｂ、５３Ｃを長寸方向に所要間隔をあけて設けている。また、本体５１の長寸方向の一端側には、薄肉ヒンジ５８、５９を介して上側蓋６０および下側蓋６３を結合し、上側蓋６０には本体５１表面側の保持溝５２Ａ、５２Ｂ、５２Ｃにそれぞれ連通し係止ピンを突設していない保持溝６１Ａ、６１Ｂ、６１Ｃを所要間隔をあけて設け、下側蓋６３には本体５１裏面側の保持溝５３Ａ、５３Ｂ、５３Ｃにそれぞれ連通し係止ピン７０を突設した保持溝６４Ａ、６４Ｂ、６４Ｃを所要間隔をあけて設けている。さらに、上側蓋６０および下側蓋６３の長寸方向の他端面にはロック部６２、６５を設けていると共に、本体５１の他端面にはロック部６２、６５が係止する被ロック部５６、５７を設けている。また、上側蓋６０、下側蓋６３より厚みのある本体５１のコネクタ接続側端面の両端にガイドピン５５を突設している。
【００３２】
前記構成の後入れ端子用部品５０を用いることにより、上下２段で電線端末の後入れ端子を保持することが可能となり、コネクタとの接続時に該後入れ端子をコネクタの上下２段のキャビティ内に誤挿入なく容易に突出させることが可能となる。
【００３３】
第２実施形態の変形例として、図９に示すように、保持溝を並設していない平板状の上側蓋６０および下側蓋６３をそれぞれ本体５１にヒンジ結合していてもよい。この場合には、本体５１の表面側および裏面側に設ける保持溝５２Ａ、５２Ｂ、５２Ｃおよび５３Ａ、５３Ｂ、５３Ｃを第２実施形態より深めの溝としておくことが好ましい。
【符号の説明】
【００３４】
１０、５０  後入れ端子用部品
１１、５１  本体
１２、１７、５２、５３、６１、６４  保持溝
１３、５４、７０  係止ピン
１４、５６、５７  被ロック部
１５、５８、５９  薄肉ヒンジ
１６  蓋
６０  上側蓋
６３  下側蓋
１８、６２、６５  ロック部
１９、５５  ガイドピン
２０  コネクタ接続側端面
２１  電線接続側端面
２２  カバー
３０  電線
３１  後入れ端子
３４  電気接触部
３５  凹み部分
４１  コネクタ
４２  キャビティ
４３  ガイド穴
４４  相手方端子
４５  ガイド溝
【図１】
2014139907.tif 000003
【図２】
2014139907.tif 000004
【図３】
2014139907.tif 000005
【図４】
2014139907.tif 000006
【図５】
2014139907.tif 000007
【図６】
2014139907.tif 000008
【図７】
2014139907.tif 000009
【図８】
2014139907.tif 000010
【図９】
2014139907.tif 000011
【図１０】
2014139907.tif 000012